(57)【要約】【課題】キャリッジに対するヘッドカートリッジの誤挿入を確実に防止することが可能な記録装置を提供する。【解決手段】記録装置１は、キャリッジ５１に対し回転することにより、キャリッジ５１を開放する第１位置と、キャリッジ５１に搭載されたヘッドカートリッジ７を固定する第２位置とを移動可能なヘッドカバー５２を備える。また、ガイド５２３に接合されつつ移動可能な係合部５３１と、誤ったヘッドカートリッジ７が挿入される際、当該ヘッドカートリッジ７に形成された押圧受け部７３に当接して挿入を防ぐリブ５３２と、を有するヘッドセットカム５３を備える。ガイド５２３は、第１位置において、押圧受け部７３が挿入に伴って５３２リブを押圧した場合、係合部５３１の移動を規制する面を有する。【選択図】図１０
2019034437.tif 000002
【特許請求の範囲】
【請求項１】
インクを吐出する吐出部を有するヘッドカートリッジを着脱可能に搭載する収容部を有するキャリッジと、
前記キャリッジに対し回転することにより、前記ヘッドカートリッジを着脱可能なように前記収容部を開放する第１位置と、前記キャリッジに挿入された前記ヘッドカートリッジを前記収容部に固定する第２位置とを移動可能なヘッドカバーと、
前記ヘッドカバーに形成されたガイドと係合し当該ガイドに沿って移動可能な係合部と、前記ヘッドカバーが前記第１位置にあり前記収容部に対応しない前記ヘッドカートリッジが挿入された場合に当該ヘッドカートリッジに形成された押圧受け部と当接するリブと、を有するヘッドセットカムと、を備え、
前記係合部が前記ガイドに沿って移動することで前記ヘッドカバーが前記第１位置から前記第２位置に移動可能な記録装置であって、
前記ガイドは、前記収容部に対応しない前記ヘッドカートリッジが挿入された場合、前記係合部の移動を規制する面を有する
ことを特徴とする記録装置。
【請求項２】
前記規制する面は、前記押圧受け部と前記リブの当接によって生じる押圧力に抗して前記係合部の移動を規制することを特徴とする請求項１に記載の記録装置。
【請求項３】
前記規制する面は、前記係合部に対し前記押圧力の方向に接触し垂直抗力を作用させることを特徴とする請求項２に記載の記録装置。
【請求項４】
前記係合部は、前記ヘッドカバーが前記第１位置にあるとき前記ガイドの端部にあり、前記ヘッドカバーが前記第２位置にあるとき前記ガイドの前記端部より離れた位置にあることを特徴とする請求項１から３のいずれか１項に記載の記録装置。
【請求項５】
前記ヘッドセットカムは、前記ヘッドカバーが前記第２位置にあるときに前記押圧受け部に当接して前記ヘッドカートリッジを前記キャリッジの方向に付勢することを特徴とする請求項１から４のいずれか１項に記載の記録装置。
【請求項６】
前記ヘッドカートリッジと前記キャリッジは、前記ヘッドカートリッジが前記キャリッジに装着された際に電気的に導通するコンタクト部を有することを特徴とする請求項１から５のいずれか１項に記載の記録装置。
【請求項７】
前記キャリッジには互いに型の異なる複数の前記ヘッドカートリッジを装着することが可能であり、前記ヘッドカバーと前記ヘッドセットカムは、前記複数の前記ヘッドカートリッジのそれぞれについて備えられていることを特徴とする請求項１から６のいずれか１項に記載の記録装置。
【請求項８】
正しい型の前記ヘッドカートリッジが挿入される際は前記押圧受け部と前記リブは当接せず、誤った型の前記ヘッドカートリッジが挿入される際は前記押圧受け部と前記リブが当接するように、前記リブと前記押圧受け部の位置が前記複数のヘッドカートリッジの夫々で異なっていることを特徴とする請求項７に記載の記録装置。
【請求項９】
前記複数のヘッドカートリッジは、ブラックインクを吐出するためのヘッドカートリッジとカラーインクを吐出するためのヘッドカートリッジであることを特徴とする請求項７または８に記載の記録装置。
【請求項１０】
前記ガイドは、前記係合部が移動可能な方向に対して屈折した位置に、前記第１位置において前記係合部の円形状の端部を囲う形状を有することを特徴とする請求項１から９のいずれか１項に記載の記録装置。
【請求項１１】
前記ガイドは、前記係合部が移動可能な方向に対して屈折した位置に、前記第１位置において前記係合部の凹部に係合する凸部を有することを特徴とする請求項１から９のいずれか１項に記載の記録装置。
【請求項１２】
前記押圧受け部は面取りされていることを特徴とする請求項１から１１のいずれか１項に記載の記録装置。
【発明の詳細な説明】
【技術分野】
【０００１】
本発明は、キャリッジに着脱可能なヘッドカートリッジを用いて記録媒体に画像を記録する記録装置に関する。
【背景技術】
【０００２】
複数のヘッドカートリッジをキャリッジに装着して記録を行う記録装置では、キャリッジの収容部に対して対応しないヘッドカートリッジを装着させないための工夫がなされている。キャリッジの収容部に対応しないヘッドカートリッジを装着してしまうと、ヘッドカートリッジとキャリッジのコンタクト部が、互いに誤った組み合わせで電気的に導通し、画像を正しく記録できなかったり装置が故障してしまったりする恐れが生じるからである。
【０００３】
特許文献１には、ヘッドカートリッジの天面に凹凸形状を配し、この天面に対向するキャリッジの面にリブを配する構成が開示されている。特許文献１において、キャリッジの収容部に対応するヘッドカートリッジを挿入すれば、凹凸形状の凹部がキャリッジのリブを囲うように進行し、当該ヘッドカートリッジを装着することができる。一方、キャリッジの収容部に対応しないヘッドカートリッジを挿入しようとすると、凹凸形状の凸部がキャリッジのリブに突き当たって挿入が規制されることで、当該ヘッドカートリッジは装着できない構成となっている。
【０００４】
また、特許文献２には、特許文献１のリブに相当する部材を、ヘッドカートリッジをキャリッジに固定するためのヘッドセットカムに配した構成が開示されている。特許文献２の場合、ヘッドカートリッジをキャリッジの正しい位置に装着すると、ヘッドセットカムのリブは凹凸形状の凹部を通過するように回転することができ、ヘッドカートリッジはキャリッジに固定される。一方、ヘッドカートリッジをキャリッジの誤った位置に装着すると、ヘッドセットカムのリブは凹凸形状の凸部に当接して回転することができず、ヘッドカートリッジはキャリッジに固定されない。
【先行技術文献】
【特許文献】
【０００５】
【特許文献１】特開２００６−３０５８０８号公報
【特許文献２】特開２０１０−３６５２５号公報
【発明の概要】
【発明が解決しようとする課題】
【０００６】
しかしながら、特許文献１においても特許文献２においても、ユーザがヘッドカートリッジを挿入しようとする際の挿入力や挿入角度によっては、凸部とリブの当接箇所を越えて収容部に対応しないヘッドカートリッジが押し込まれて装着できてしまう場合がある。特に、ヘッドカートリッジの凸部が輸送上の都合から面取りされているような場合、上記懸念は一層大きくなる。
【０００７】
本発明は上記問題点を解消するためになされたものである。よってその目的とするところは、キャリッジに対するヘッドカートリッジの誤装着を確実に防止することが可能な記録装置を提供することである。
【課題を解決するための手段】
【０００８】
そのために本発明は、インクを吐出する吐出部を有するヘッドカートリッジを着脱可能に搭載する収容部を有するキャリッジと、前記キャリッジに対し回転することにより、前記ヘッドカートリッジを着脱可能なように前記収容部を開放する第１位置と、前記キャリッジに挿入された前記ヘッドカートリッジを前記収容部に固定する第２位置とを移動可能なヘッドカバーと、前記ヘッドカバーに形成されたガイドと係合し当該ガイドに沿って移動可能な係合部と、前記ヘッドカバーが前記第１位置にあり前記収容部に対応しない前記ヘッドカートリッジが挿入された場合当該ヘッドカートリッジに形成された押圧受け部と当接するリブと、を有するヘッドセットカムと、を備え、前記係合部が前記ガイドに沿って移動することで前記ヘッドカバーが前記第１位置から前記第２位置に移動可能な記録装置であって、前記ガイドは、前記収容部に対応しない前記ヘッドカートリッジが挿入された場合、前記係合部の移動を規制する面を有することを特徴とする。
【発明の効果】
【０００９】
本発明によれば、キャリッジに対するヘッドカートリッジの誤装着を確実に防止することが可能となる。
【図面の簡単な説明】
【００１０】
【図１】記録装置の内部構成を示す斜視図である。
【図２】キャリッジの拡大斜視図である。
【図３】キャリッジを、ヘッドカートリッジ７Ａの装着位置側から見た図である。
【図４】ヘッドセットカムの詳しい形状を説明するための拡大斜視図である。
【図５】（ａ）〜（ｃ）は、ヘッドカートリッジ７Ａの外観図である。
【図６】２つのヘッドカートリッジが正しい位置に装着された状態を示す図である。
【図７】正しいヘッドカートリッジを挿入しようとする様子を示す図である。
【図８】誤ったヘッドカートリッジを挿入しようとする様子を示す図である。
【図９】（ａ）および（ｂ）は、第１位置と第２位置の係合状態を示す拡大図である。
【図１０】（ａ）および（ｂ）は、第１位置と第２位置の係合状態を示す拡大図である。
【図１１】（ａ）および（ｂ）は、本実施形態のガイドの形状と効果を示す図である。
【図１２】第２の実施形態における係合部５３１とガイド５２３の係合状態図である。
【発明を実施するための形態】
【００１１】
図１は、本発明で使用可能な記録装置１の内部構成を示す斜視図である。記録装置１は、主に、給送部２、搬送部３、排出部４、記録部５、回復部６を備える。給送部２は複数の記録媒体（不図示）を保持する給紙トレイ２１を備え、記録コマンドが入力されると、最上位の記録媒体を記録部５に給送する。給送された記録媒体は、その後搬送部３によってｙ方向に搬送される。
【００１２】
記録部５は、給送部２及び搬送部３によって支持された記録媒体に画像を記録する。記録部５は、２つのヘッドカートリッジ７Ａと７Ｂを搭載したキャリッジ５１が、ｘ方向に移動可能な構成を有している。ヘッドカートリッジ７Ａと７Ｂは、キャリッジ５１がｘ方向に移動する最中、吐出信号に従ってインクを吐出し、記録媒体に１バンド分の画像を記録する。このような１バンド分の記録走査が終了すると、搬送部３は、記録走査の１バンド幅に対応する分だけ記録媒体をｙ方向に搬送する。そして、以上のような記録走査と搬送動作とを交互に繰り返すことにより、記録媒体には、徐々に画像が形成さていく。全ての記録走査が終了すると、排出部４を構成する排出ローラによって記録媒体が排出トレイ４１に排出される。
【００１３】
キャリッジ５１のｘ方向における端部には、ヘッドカートリッジ７Ａ、７Ｂのメンテナンス処理を行うための回復部６が備えられている。記録コマンドを受信していない時、キャリッジ５１は回復部６の位置に移動し、ヘッドカートリッジ７Ａ、７Ｂの吐出口面はキャッピングされる。また、所定のメンテナンス処理が必要な場合もキャリッジ５１は回復部６の位置に移動し、吸引処理や予備吐出処理など様々なメンテナンス処理が行われる。以降で、ｘ方向において回復部６が備えられている側をＨｏｍｅ側、反対側をＡｗａｙ側とも称する。
【００１４】
なお、記録媒体については、インク滴を着弾させて画像を形成できるものであればその種類は特に限定されるものではない。例えば、紙、布、光ディスクラベル面、プラスチックシート、ＯＨＰシート、封筒など、種々の材質および形態のものを記録媒体として使用することができる。
【００１５】
図２は、キャリッジ５１の拡大斜視図である。キャリッジ５１の内部は、２つのヘッドカートリッジ７Ａ、７Ｂをそれぞれ着脱可能に搭載するための２つの収容部に区分けされている。正面から見て右側（−ｘ方向側）にはブラックインクを吐出するヘッドカートリッジ７Ａが収容されるブラック用収容部（第１収容部）５６Ａが配される。一方、左側（＋ｘ方向側）にはカラーインクを吐出するヘッドカートリッジ７Ｂが収容されるカラー用収容部（第２収容部）５６Ｂが配される。ヘッドカートリッジ７Ｂは、イエローインク、マゼンタインク、シアンインクを保持しこれを吐出する。図２では、カラーインクを吐出するヘッドカートリッジ７Ｂが既に装着され、ブラックインクを吐出するヘッドカートリッジ７Ａが装着されていない状態を示している。以後、これら２つのヘッドカートリッジを区別して呼称する際はヘッドカートリッジ７Ａまたはヘッドカートリッジ７Ｂと呼び、区別することなく呼称する場合は単にヘッドカートリッジ７と呼ぶ。
【００１６】
図３は、図２で示したキャリッジ５１を、Ｈｏｍｅ側から見た断面図である。図３では、キャリッジ５１のうち、特にヘッドカートリッジ７Ａが装着されるブラック用収容部５６Ａ周辺の構成を示す。キャリッジ５１は、主に、ヘッドカートリッジ７Ａを収容するブラック用収容部５６Ａと、収容されたヘッドカートリッジ７Ａを上方から覆うヘッドカバー５２と、ヘッドカートリッジ７Ａの天面に当接してこれを固定するヘッドセットカム５３を有している。ヘッドカバー５２とヘッドセットカム５３の間にはコイル状のヘッドセットばね５４が配されている。
【００１７】
収容部５６の内側面には、装着時にヘッドカートリッジ７Ａを案内するための、レール状の案内部５１２が形成されている。また、図２に示すように、ヘッドカートリッジ７Ａの挿入方向の正面には、ヘッドカートリッジ７Ａと電気的に接続するためのコンタクト部５１１が設けられている。
【００１８】
図４は、ヘッドセットカム５３の詳しい形状を説明するための拡大斜視図である。ヘッドセットカム５３は、ｘ方向においてヘッドカバー５２とほぼ同等の幅を有する第１面５３３と、第１面５３３の両端部から奥行き方向に延在する２つの第２面５３４を備え、第２面５３４には更にｘ方向の外側に突出する係合部５３１がそれぞれ形成されている。２つの係合部５３１が、ヘッドカバー５２の両端に形成された長孔形状のガイド５２３（図１０参照）にはめ込まれることにより、ヘッドセットカム５３とヘッドカバー５２は、ガイド５２３が延びる方向に移動可能に連結される。また、ヘッドセットカム５３のｘ方向の所定位置には、ｙ方向に突出する誤装着防止リブ５３２が形成されており、第１面５３３の裏面（ヘッドカートリッジ７Ａと対向しない面）にはヘッドセットばね５４が配されている。ヘッドセットカム５３とヘッドカバー５２の係合状態、および誤装着防止リブ５３２については、後に詳しく説明する。
【００１９】
図５（ａ）〜（ｃ）は、ヘッドカートリッジ７Ａの外観図である。図５（ａ）はヘッドカートリッジ７Ａの挿入方向手前側から見た斜視図であり、図５（ｂ）はヘッドカートリッジ７Ａの挿入方向奥側から見た斜視図である。図５（ｃ）はヘッドカートリッジ７Ａの側面図であり、図における右側が挿入方向である。ヘッドカートリッジ７Ａの上面の挿入方向手前には、ユーザが掴みやすくするための手掛かり部７７が配されている。一方、ヘッドカートリッジ７Ａの挿入方向奥の下端には、キャリッジ５１の内壁に形成された案内部５１２に当接可能な突出部７２が形成されている。ユーザは、手掛かり部７７を保持し、突出部７２を案内部５１２に当接させながら、案内部５１２に沿ってヘッドカートリッジ７Ａをキャリッジ５１に挿入する。ヘッドカートリッジ７Ａが正常な位置まで挿入されると、ヘッドカートリッジ７Ａの当接部７６がキャリッジに形成された不図示の受容部に受容され、ヘッドカートリッジ７Ａはブラック用収容部５６Ａ内で位置決めされる。
【００２０】
ヘッドカートリッジ７Ａの上面（天面）には、押圧受け部７３が形成されている。本実施形態の押圧受け部７３は、ヘッドセットカム５３からの押圧力を受けてヘッドカートリッジ７Ａをキャリッジに固定させる役割を持つ。また、押圧受け部７３はブラック用収容部５６Ａに対応しないヘッドカートリッジ７が挿入される際に、誤装着防止リブ５３２と当接して挿入を阻止する役割とを備えている。なお、ヘッドカートリッジ７Ａの輸送上の便宜を図るため、本実施形態の押圧受け部７３の上端は、図５（ｃ）に示すように面取りされている。
【００２１】
ヘッドカートリッジ７Ａの底面には、ブラックインクを吐出するための複数の吐出素子が配列された吐出部７１が配されている。吐出部７１はシート状のフレキシブル配線基板７８に囲まれ、吐出に必要な電力や吐出信号が供給される。フレキシブル配線基板７８は、ヘッドカートリッジ７Ａの底面から装着方向の奥側の面に延在し、奥側の面には電力端子が配列するコンタクト部７４が形成されている。コンタクト部７４は、ヘッドカートリッジ７Ａがキャリッジ５１に装着されると、キャリッジ５１側のコンタクト部５１１と電気的に導通し、装置本体の基板から受容した電力や吐出信号を、吐出部７１に供給する。この際、コンタクト部７４の上方に形成された位置決め部７５がキャリッジ５１側の位置決め部と当接することにより、ヘッドカートリッジ７Ａ側のコンタクト部７４とキャリッジ５１側のコンタクト部５１１の位置合わせおよび電気的導通を確実なものとしている。
【００２２】
再度図３を参照する。ヘッドカバー５２は、回転軸５２１を中心に回転可能になっている。ユーザは、ヘッドカートリッジ７Ａをブラック用収容部５６Ａに収容した状態で、ヘッドカバー５２を図３の反時計回りに回転させ、ヘッドカバー５２の弾性部５２２をブラック用収容部５６Ａの前面に係合させる。これにより、ヘッドカートリッジ７Ａはキャリッジ５１に固定される。この時、ヘッドセットカム５３の第１面５３３は、ヘッドカートリッジ７Ａの押圧受け部７３に当接し、第１面５３３の裏面に配されたヘッドセットばね５４は圧縮され、第１面５３３を押圧受け部７３の方向に付勢する。これにより、ヘッドカートリッジ７Ａはキャリッジ５１に確実に固定される。
【００２３】
一方、ヘッドカートリッジ７Ａを取り外す際は、弾性部５２２をブラック用収容部５６Ａの前面から外し、ヘッドカバー５２を図３の時計回りに回転させる。この際、ヘッドカバー５２の下端部に取り付けられた押し出しレバー５５がブラック用収容部５６Ａに収容されたヘッドカートリッジ７Ａを押し出し、ユーザがヘッドカートリッジ７Ａを取り出しやすくしている。
【００２４】
図３〜図５ではブラックインクを吐出するヘッドカートリッジ７Ａを例に説明したが、基本的な構成はカラーインクを吐出するヘッドカートリッジ７Ｂについても同様である。図６は、ヘッドカートリッジ７Ａとヘッドカートリッジ７Ｂが、キャリッジ５１の正しい位置にそれぞれ装着された状態を示している。但し、本実施形態のヘッドカートリッジ７Ａおよびヘッドカートリッジ７Ｂにおいては、互いの誤装着を防止するために、ヘッドカートリッジ側の押圧受け部７３とキャリッジ５１側の誤装着防止リブ５３２のレイアウトを異ならせている。
【００２５】
図７は、キャリッジ５１のブラック用収容部５６Ａに、ヘッドカートリッジ７Ａを挿入しようとする様子を示す図である。この場合、ヘッドカートリッジ７Ａの上面に形成された押圧受け部７３は、キャリッジ５１に形成された誤装着防止リブ５３２に当接すること無く、その脇を挿入方向に向かって進行することができる。
【００２６】
一方、図８は、キャリッジ５１のブラック用収容部５６Ａに、カラー用のヘッドカートリッジ７Ｂを挿入しようとする様子を示す図である。カラー用のヘッドカートリッジ７Ｂの押圧受け部７３は、ブラック用のヘッドカートリッジ７Ａとはｘ方向に異なる位置に形成されている。このため、挿入時においてヘッドカートリッジ７Ｂの押圧受け部７３は、キャリッジ５１に形成された誤装着防止リブ５３２に当接し、挿入方向への進行が妨げられる。
【００２７】
このような構成は、カラー用収容部５６Ｂについても同様である。ヘッドカートリッジ７Ｂを装着しようとする場合は、押圧受け部７３が誤装着防止リブ５３２に当接すること無く進行可能であるが、ヘッドカートリッジ７Ａを装着しようとする場合は、押圧受け部７３が誤装着防止リブ５３２に当接して進行が妨げられる。つまり、収容部５６に対して正しいヘッドカートリッジ７を装着する場合以外は、押圧受け部７３が誤装着防止リブ５３２に当接するように、ヘッドカートリッジ７Ａと７Ｂの押圧受け部７３および誤装着防止リブ５３２が互いに対応づけてレイアウトされている。
【００２８】
図９（ａ）および（ｂ）、図１０（ａ）および（ｂ）は、図２に示す開放位置（第１位置）と図６に示す装着位置（第２位置）における係合状態を示す拡大図である。図９（ａ）および（ｂ）はヘッドカバー５２を含んだ状態、図１０（ａ）および（ｂ）はヘッドカバー５２を取り除いた状態をそれぞれ示している。図１０（ａ）および（ｂ）において、ヘッドカバー５２のガイド５２３は、破線で示している。
【００２９】
図９（ａ）および図１０（ａ）は、第１位置において正しいヘッドカートリッジ７が挿入され、ヘッドカバー５２を回転して第２位置に移行した状態を示している。この状態において、ヘッドカバー５２とヘッドセットカム５３の間に介在するヘッドセットばね５４は圧縮され、ヘッドセットカム５３の第１面５３３はヘッドセットばね５４の付勢力によりヘッドカートリッジ７の押圧受け部７３を押圧する。これにより、ヘッドカートリッジ７は収容部５６内に固定される。この際、ヘッドセットカム５３の係合部５３１は、ガイド５２３の最端部５２３１からシフトした（浮き上がった）位置にある。すなわち、係合部５３１は第１位置から第２位置へのヘッドカバー５２の回転に伴って、ガイド５２３の内部をその経路に沿って移動し、ガイド５２３の最端部５２３１から離間している。
【００３０】
一方、図９（ｂ）および図１０（ｂ）に示す第１位置において、係合部５３１はガイド５２３の最端部５２３１にある。本実施形態のガイド５２３は図１０（ａ）および（ｂ）において破線で示すように、その経路が最端部で僅かに屈折している。そして、ヘッドカバー５２が第１位置にあるとき、係合部５３１の端部は、図１０（ｂ）に示すように屈折箇所に入り込むことで、屈折箇所の内壁によってほぼ隙間が無い状態で囲まれている。
【００３１】
このような状態で収容部５６に対応しないヘッドカートリッジ７を挿入しようとする場合、図９（ｂ）および図１０（ｂ）に示すように、誤装着防止リブ５３２はヘッドカートリッジ７の押圧受け部７３に当接し、その進行を妨げる。同時に、ヘッドセットカム５３の係合部５３１も、ガイド５２３の内壁より抗力を受ける。すなわち、本実施形態では、ユーザが収容部５６に誤ったヘッドカートリッジ７を挿入しようとした場合、押圧受け部７３と誤装着防止リブ５３２の当接部に加えて、係合部５３１とガイド５２３の当接部からも挿入力に対向する抗力を受ける。
【００３２】
図１１（ａ）および（ｂ）は、本実施形態におけるガイド５２３と係合部５３１の形状と効果を従来の構成と比較して示す図である。図１１（ａ）は従来の構成、図１１（ｂ）は本実施形態の構成を示している。どちらも、収容部５６に対して誤ったヘッドカートリッジ７が挿入され、誤ったヘッドカートリッジ７の押圧受け部７３をヘッドセットカム５３の誤装着防止リブ５３２に押圧力Ｆで当接させた状態を示している。
【００３３】
図１１（ａ）に示す従来構成の場合、ガイド５２３が係合部５３１を導く方向をα、αと垂直な方向をβとしたとき、ヘッドカートリッジ７の押し込みによりヘッドセットカム５３が受ける押圧力Ｆは、ＦαとＦβに分解することが出来る。ここで、Ｆβについては、等しい大きさで反対方向の垂直抗力をガイド５２３の内壁より受けるが、Ｆαについては対抗する内壁が存在しない。このため、Ｆαがヘッドセットばね５４の付勢力Ｐや内壁との間の摩擦力より大きくなると、係合部５３１およびヘッドセットカム５３はα方向に移動し、ヘッドカートリッジ７はＦ方向に進入することを許容してしまう。
【００３４】
本実施形態の係合部５３１の場合、ガイド５２３の内壁に接触するのは、円形状を有する両端部（以下、円形端部と称する）である。誤装着防止リブ５３２が押圧力Ｆを受けると、下側の円形端部にはＦβの力が作用して内壁よりＮ１の垂直抗力を受け、ヘッドセットカム５３全体が図の反時計回りに僅かに回転する。このため、上側の円形端部においては図の左側がガイド５２３の内壁に接触し、左側より抗力Ｎ２を受ける。すなわち、係合部５３１がα方向に移動しようとするとき、係合部５３１の下側の端部には図の右側に摩擦力が作用し、上側の端部には図の左側に摩擦力が作用する。よって、ヘッドセットばね５４の付勢力をＰ、ガイド５２３の内壁の摩擦係数をμ、係合部５３１の下側の円形端部が内壁から受ける抗力をＮ１、上側の端部が内壁から受ける抗力をＮ２とすると、下記式が満たされたときヘッドセットカム５３はα方向に移動する。
Ｆｙ＞Ｐ＋μＮ１＋μＮ２
【００３５】
ここで、Ｆｙの値は、押圧力Ｆの大きさのほか、ヘッドカートリッジ７の挿入方向や押圧受け部７３の面取り角度など、様々な要素で変化するため、上記式が満たされる状況は十分に考えられる。そして、上記式が満たされた場合には、ヘッドカートリッジ７が誤装着防止リブ５３２を越えて挿入され、コンタクト部５１１および７４が接触するおそれが生じる。
【００３６】
一方、図１１（ｂ）に示す本実施形態の場合、係合部５３１の下側の円形端部は、押圧力Ｆの方向にガイド５２３の内壁が対向しており、押圧力Ｆと同じ大きさで向きが反対の垂直抗力Ｎが生成される。そして、押圧受け部７３の面取り角度によって誤装着防止リブ５３２との当接によって生じる押圧力Ｆの方向が変化したとしても、係合部ガイド５２３の内壁は、この押圧力Ｆと同じ大きさで向きが反対の垂直抗力Ｎが生じるような形状となっている。このため、押圧受け部７３部およびヘッドカートリッジ７が誤装着防止リブ５３２を越えてＦ方向に挿入されることを、従来の構成よりも確実に防ぐことができる。
【００３７】
以上説明したように本実施形態によれば、誤ったヘッドカートリッジ７を挿入しようとした場合、押圧受け部７３と誤装着防止リブ５３２の当接箇所のほか、ヘッドセットカム５３の両端にある２つの係合部５３１において、挿入に対する抗力が生成される。以上説明したように、従来に比べ、ヘッドカートリッジ７の誤挿入を確実に防ぐことが出来る。
【００３８】
（その他の実施形態）
図１２は、本実施形態における係合部５３１とガイド５２３の係合状態を示す図である。上記実施形態と異なる点は、下側の円形端部に形成された凹部に、ガイド５２３の内壁に形成された凸部が係合するようになっていることである。
【００３９】
このような本実施形態においても、押圧力Ｆが作用する方向によらず、その押圧力Ｆの方向にはガイド５２３の内壁が対向しており、押圧力Ｆと同じ大きさで向きが反対の垂直抗力Ｎが生成される。このため、押圧受け部７３部およびヘッドカートリッジ７が誤装着防止リブ５３２を越えてＦ方向に挿入されることはなく、誤ったヘッドカートリッジ７の装着を確実に防ぐことができる。
【符号の説明】
【００４０】
１    記録装置
７    ヘッドカートリッジ
５１    キャリッジ
５２    ヘッドカバー
５３    ヘッドセットカム
７３    押圧受け部
７１    吐出部
５２３    ガイド
５３１    係合部
５３２    誤装着防止リブ
【図１】
2019034437.tif 000003
【図２】
2019034437.tif 000004
【図３】
2019034437.tif 000005
【図４】
2019034437.tif 000006
【図５】
2019034437.tif 000007
【図６】
2019034437.tif 000008
【図７】
2019034437.tif 000009
【図８】
2019034437.tif 000010
【図９】
2019034437.tif 000011
【図１０】
2019034437.tif 000012
【図１１】
2019034437.tif 000013
【図１２】
2019034437.tif 000014